(57)【要約】【課題】  普及させることが容易で、しかも従来に比べて十分な情報量の救命・医療データを提供することができる携帯型データ処理装置を提供する。【解決手段】  文字や数字を入力する操作ボタン１３とは別に設けられた救命ボタン１４が操作されると、処理部１７は、入力されたＩＤおよびパスワードを検証した後に、メモリ１５から救命・医療データＩ＿ＤＡＴＡを読み出し、これをディスプレイ１０に表示する。【選択図】  図１
2005235148.tif 000002
【特許請求の範囲】
【請求項１】
数字および文字を入力するために用いられる第１の操作ボタンと、
救命活動あるいは医療活動に用いられる救命・医療データの提供指示を行うために用いられる第２の操作ボタンと、
ディスプレイと、
前記第１の操作ボタンおよび前記第２の操作ボタンの操作に応じて、所定の処理を行い、当該処理に応じた画像を前記ディスプレイに表示する処理手段と
を有し、
前記処理手段は、前記第２の操作ボタンが操作されると、前記救命・医療データを取得して前記ディスプレイに表示する
携帯型データ処理装置。
【請求項２】
前記処理手段は、前記携帯型データ処理装置のユーザの血液型、カルテ、持病、指定病院および主治医のうち少なくとも一つの情報を前記救命・医療データとして取得して前記ディスプレイに表示する
請求項１に記載の携帯型データ処理装置。
【請求項３】
前記救命・医療データを記憶するメモリ
をさらに有し、
前記処理手段は、前記第２の操作ボタンが操作されると、その操作者が正当であることを検証した後に、前記メモリから前記救命・医療データを読み出して前記ディスプレイに表示する
請求項１または請求項２に記載の携帯型データ処理装置。
【請求項４】
所定の鍵データで暗号化された前記救命・医療データを記憶するメモリと、
鍵データを入力するインターフェースと
をさらに有し、
前記処理手段は、前記第２の操作ボタンが操作されると、前記メモリに記憶された前記暗号化された前記救命・医療データを読み出し、前記インターフェースを介して入力した前記鍵データを基に、前記読み出した救命・医療データを復号し、当該復号した前記救命・医療データを前記ディスプレイに表示する
請求項１または請求項２に記載の携帯型データ処理装置。
【請求項５】
前記救命・医療データを提供するサーバと通信を行う通信手段
をさらに有し、
前記処理装置は、前記第２の操作ボタンが操作されると、前記通信手段を介して前記サーバにアクセスし、その操作者が正当性が検証された後に、前記サーバから受信した前記救命・医療データを前記ディスプレイに表示する
請求項１または請求項２に記載の携帯型データ処理装置。
【請求項６】
所定の鍵データで暗号化された前記医療データを提供するサーバと通信を行う通信手段と、
鍵データを入力するインターフェースと
をさらに有し、
前記処理手段は、前記第２の操作ボタンが操作されると、前記通信手段を介して前記サーバにアクセスして前記暗号化された救命・医療データを受信し、前記インターフェースを介して入力した前記鍵データを基に、前記受信した救命・医療データを復号し、当該復号した前記救命・医療データを前記ディスプレイに表示する
請求項１または請求項２に記載の携帯型データ処理装置。
【発明の詳細な説明】
【技術分野】
【０００１】  本発明は、救命活動あるいは医療活動に有用な救命・医療データを救命活動者あるいは医療活動者に提供する機能を備えた携帯型データ処理装置に関する。
【背景技術】
【０００２】  救急時などに、救命・医療対象者の血液型や持病などの情報は、救命・医療活動者が当該救命・医療対象者に適切な処置を行う上で非常に重要な情報である。
従来では、ペンダントにその所有者の血液型や持病などの情報を刻み込み、そのペンダントを携帯するなどの方法が知られている。
【発明の開示】
【発明が解決しようとする課題】
【０００３】  しかしながら、ペンダントは、装飾品であり、その外観などの要因で普及には限界があ  った。
また、ペンダントに刻み込むことができる情報には限りがある。【０００４】  本発明は上述した従来技術に鑑みて成され、普及させることが容易で、しかも従来に比べて十分な情報量の救命・医療データを提供することができる携帯型データ処理装置を提供することを目的とする。
【課題を解決するための手段】
【０００５】  上述した従来技術の問題点を解決するために、本発明の携帯型データ処理装置は、数字および文字を入力するために用いられる第１の操作ボタンと、救命活動あるいは医療活動に用いられる救命・医療データの提供指示を行うために用いられる第２の操作ボタンと、ディスプレイと、前記第１の操作ボタンおよび前記第２の操作ボタンの操作に応じて、所定の処理を行い、当該処理に応じた画像を前記ディスプレイに表示する処理手段とを有し、前記処理手段は、前記第２の操作ボタンが操作されると、前記救命・医療データを取得して前記ディスプレイに表示する。【０００６】  本発明の携帯型データ処理装置は、好ましくは、前記処理手段は、前記携帯型データ処理装置のユーザの血液型、カルテ、持病、指定病院および主治医のうち少なくとも一つの情報を前記救命・医療データとして取得して前記ディスプレイに表示する。
また、本発明の携帯型データ処理装置は、好ましくは、前記救命・医療データを記憶するメモリをさらに有し、前記処理手段は、前記第２の操作ボタンが操作されると、その操作者が正当であることを検証した後に、前記メモリから前記救命・医療データを読み出して前記ディスプレイに表示する。
また、本発明の携帯型データ処理装置は、好ましくは、所定の鍵データで暗号化された前記救命・医療データを記憶するメモリと、鍵データを入力するインターフェースとをさらに有し、前記処理手段は、前記第２の操作ボタンが操作されると、前記メモリに記憶された前記暗号化された前記救命・医療データを読み出し、前記インターフェースを介して入力した前記鍵データを基に、前記読み出した救命・医療データを復号し、当該復号した前記救命・医療データを前記ディスプレイに表示する。【０００７】  また、本発明の携帯型データ処理装置は、好ましくは、前記救命・医療データを提供するサーバと通信を行う通信手段をさらに有し、前記処理装置は、前記第２の操作ボタンが操作されると、前記通信手段を介して前記サーバにアクセスし、その操作者が正当性が検証された後に、前記サーバから受信した前記救命・医療データを前記ディスプレイに表示する。
また、本発明の携帯型データ処理装置は、好ましくは、所定の鍵データで暗号化された前記医療データを提供するサーバと通信を行う通信手段と、鍵データを入力するインターフェースとをさらに有し、前記処理手段は、前記第２の操作ボタンが操作されると、前記通信手段を介して前記サーバにアクセスして前記暗号化された救命・医療データを受信し、前記インターフェースを介して入力した前記鍵データを基に、前記受信した救命・医療データを復号し、当該復号した前記救命・医療データを前記ディスプレイに表示する。
【発明の効果】
【０００８】  本発明によれば、普及させることが容易で、しかも従来に比べて十分な情報量の救命・医療データを提供することができる携帯型データ処理装置を提供することができる。
【発明を実施するための最良の形態】
【０００９】  以下、本発明の携帯型データ処理装置の実施形態に係わる携帯電話について説明する。
第１実施形態
図１は、本実施形態に係わる携帯電話１の正面側の外観図である。
図２は、図１に示す携帯電話１の内部構成図である。
図１および図２に示すように、携帯電話１は、例えば、ディスプレイ１０、アンテナ１１、通信部１２、操作ボタン１３、救命ボタン１４、メモリ１５、インタフェース１６および処理部１７を有し、これらがデータ線１９を介して接続されている。
ここで、ディスプレイ１０が本発明のディスプレイに対応し、通信部１２が本発明の通信手段に対応し、操作ボタン１３が本発明の第１の操作ボタンに対応し、救命ボタン１４が本発明の第２の操作ボタンに対応し、メモリ１５が本発明のメモリに対応し、インタフェース１６が本発明のインタフェースに対応し、処理部１７が本発明の処理手段に対応している。【００１０】  携帯電話１には、図１に示すように、数字および文字を入力するために用いられる操作ボタン１２およびメニュー操作などに用いられる操作ボタン１３の他に、救命ボタン１４が設けられている。
救命ボタン１４は、後述するように、救命活動者あるいは医者などの医療活動者が、救命活動あるいは医療活動を行うために用いる救命・医療データＩ＿ＤＡＴＡの提供指示を行うために用いられる。
本実施形態において、救命・医療データＩ＿ＤＡＴＡは、例えば、携帯電話１のユーザの血液型、カルテ、持病、アレルギー、指定病院および主治医のうち少なくとも一つの情報を示している。
ディスプレイ１０には、処理部１７の処理に応じて、救命・医療データＩ＿ＤＡＴＡが表示される。
アンテナ１１は、通常の携帯電話と同じ通信に用いられる電波の送受信を行う。
通信部１２は、アンテナ１１を介した電波の送受信処理を行う。
メモリ１５は、処理部１７の処理を規定したプログラムＰＲＧ、並びに救命・医療データＩ＿ＤＡＴＡを記憶する。メモリ１５は、例えば、半導体の不揮発性メモリである。
インタフェース１６は、後述するように、救命活動者や医療活動者が使用するデータ処理装置２０との間でデータの送受信を行う。
処理部１７は、プログラムＰＲＧを基に、以下に示す携帯電話１の処理を統括的に制御する。【００１１】  以下、図２に示す処理部１７の処理と関連付けて、救命ボタン１４が押下された場合の携帯電話１の動作例を説明する。
図３は、当該動作例を説明するためのフローチャートである。
ステップＳＴ１：
処理部１７が、救命ボタン１４からの操作信号を基に、救命ボタン１４が押下されたか否かを監視し、救命ボタン１４が押下されたと判断するとステップＳＴ２に進む。
すなわち、救命活動者あるいは医療活動者が救命ボタン１４を押下すると、処理部１７はステップＳＴ２の処理に進む。
ステップＳＴ２：
処理部１７が、ＩＤ（識別データ）およびパスワードの入力を要求する画面をディスプレイ１０に表示させる。
救命活動者あるいは医療活動者は、操作ボタン１３を操作して、自らのＩＤおよびパスワードを入力する。
ステップＳＴ３：
処理部１７は、ステップＳＴ２で入力されたＩＤおよびパスワードが、例えば、メモリ１５に予め記憶されたものと一致するか否かを判断し、一致すると判断すると、ステップＳＴ４に進む。【００１２】  ステップＳＴ４：
処理部１７は、メモリ１５から救命・医療データＩ＿ＤＡＴＡを読み出す。
ステップＳＴ５：
処理部１７は、ステップＳＴ４で読み出した救命・医療データＩ＿ＤＡＴＡをディスプレイ１０に表示させる。【００１３】  以上説明したように、携帯電話１によれば、携帯電話１のユーザが、事故などで何らかの救急事態にあった場合に、救命活動者および医療活動者は、携帯電話１の救命ボタン１４を押下するだけで、当該ユーザの救命・医療データを取得し、それを基に当該ユーザに対しての救命活動および医療活動を行うことができる。そのため、当該ユーザに適切な処置を施すことができる。
また、携帯電話１は、殆どの人が携帯しているため、救急時に、救命・医療データＩ＿ＤＡＴＡの提供機能を適切に発揮できる。
また、携帯電話１によれば、救命・医療データＩ＿ＤＡＴＡをメモリ１５に記憶するため、従来のペンダントに刻み込む場合に比べて、非常に多くの情報量の救命・医療情報を記憶させることができる。
また、携帯電話１によれば、正当なＩＤおよびパスワードが入力されたことを条件に、救命・医療データＩ＿ＤＡＴＡをディスプレイ１０に表示するため、救命・医療データＩ＿ＤＡＴＡの秘匿性を確保できる。【００１４】第２実施形態
本実施形態では、上述した第１実施形態の変形例であり、図１に示すように、救命活動者や医療活動者が使用するデータ処理装置２０から鍵データＫを入力し、これを基に、暗号化された救命・医療データＩ＿ＤＡＴＡを復号する。
本実施形態では、メモリ１５は、所定の鍵データＫで暗号化された救命・医療データＩ＿ＤＡＴＡを記憶している。【００１５】  図４は、本実施形態における携帯電話１の動作例を説明するためのフローチャートである。
本実施形態では、図２に示す携帯電話１の処理部１７が、救命ボタン１４からの操作信号を基に、救命ボタン１４が押下されたか否かを監視する（ステップＳＴ１１）。
処理部１７は、救命ボタン１４が押下されたと判断すると、図２に示すインタフェース１６を介してデータ処理装置２０から復号用の鍵データＫが入力されたか否かを判断する（ステップＳＴ１２）。
そして、処理部１７は、鍵データＫが入力されたと判断すると、メモリ１５から暗号化された救命・医療データＩ＿ＤＡＴＡを読み出し（ステップＳＴ１３）、これをデータ処理装置２０から入力した鍵データＫで復号する（ステップＳＴ１４）。
次に、処理部１７は、上記復号した救命・医療データＩ＿ＤＡＴＡをディスプレイ１０に表示させる（ステップＳＴ１５）。【００１６】  以上説明したように、本実施形態の携帯電話１では、救命・医療データＩ＿ＤＡＴＡを暗号化してメモリ１５に記憶し、データ処理装置２０から入力した鍵データＫを基に救命・医療データＩ＿ＤＡＴＡを復号して表示する。
そのため、データ処理装置２０を保持する正当な救命活動者および医療活動者のみがデータ処理装置２０を用いて携帯電話１のディスプレイ１０に救命・医療データＩ＿ＤＡＴＡを表示でき、救命・医療データＩ＿ＤＡＴＡの秘匿性を確保できる。【００１７】第３実施形態
上述した第１実施形態では、図２に示すメモリ１５に救命・医療データＩ＿ＤＡＴＡを記憶する場合を例示したが、本発明は、携帯電話１には救命・医療データＩ＿ＤＡＴＡを記憶させず、例えば、図５に示すように、ネットワーク３０を介して携帯電話１が通信可能なサーバ３１に救命・医療データＩ＿ＤＡＴＡを記憶させる。
携帯電話１のユーザは、例えば、携帯電話１あるいはコンピュータを用いて予めサーバ３１にアクセスし、サーバ３１が要求するフォーマットに従って、自らの救命・医療データＩ＿ＤＡＴＡをサーバ３１に登録する。
本実施形態では、図３に示すステップＳＴ３において、ＩＤおよびパスワードの正当性を確認すると、ステップＳＴ４において、メモリ１５から救命・医療データＩ＿ＤＡＴＡを読み出すのではなく、処理部１７が通信部１２およびアンテナ１１から、ネットワーク３０を介してサーバ３１にアクセスして、携帯電話１のユーザの識別データを含む要求をサーバ３１に送信する。
そして、携帯電話１の処理部１７は、サーバ３１から受信した救命・医療データＩ＿ＤＡＴＡを、ディスプレイ１０に表示する。
本実施形態によれば、携帯電話１のメモリ１５ではなく、サーバ３１に救命・医療データＩ＿ＤＡＴＡを記憶するため、メモリ１５の記憶容量を効率的にできる。また、メモリ１５に記憶する場合に比べて、さらに多くの情報量の救命・医療データＩ＿ＤＡＴＡを提供できる。【００１８】  上述した第３実施形態では、第２実施形態と同様に、サーバ３１に暗号化した救命・医療データＩ＿ＤＡＴＡを記憶し、携帯電話１において、データ処理装置２０から入力した鍵データＫを基に、当該暗号化された救命・医療データＩ＿ＤＡＴＡを復号してもよい。【００１９】  本発明は上述した実施形態には限定されない。
例えば、上述した実施形態では、本発明の携帯型データ処理装置として、携帯電話を例示したが、その他、ＰＤＡ（Ｐｅｒｓｏｎａｌ  Ｄｉｇｉｔａｌ  Ａｓｓｉｓｔａｎｔｓ）などにも本発明を適用可能である。
【産業上の利用可能性】
【００２０】  本発明は、救命活動に有用な救命・医療データを救命活動者に提供するシステムに適用可能である。
【図面の簡単な説明】
【００２１】
【図１】  図１は、本発明の実施形態に係わる携帯電話の正面側の外観図である。
【図２】  図２は、図１に示す携帯電話の内部構成図である。
【図３】  図３は、図１に示す救命ボタンが押下された場合の本発明の第１実施形態の携帯電話の動作例を説明するためのフローチャートである。
【図４】  図４は、図１に示す救命ボタンが押下された場合の本発明の第２実施形態の携帯電話の動作例を説明するためのフローチャートである。
【図５】  図５は、本発明の第３実施形態の携帯電話を説明するための図である。
【符号の説明】
【００２２】  １…携帯電話、１０…ディスプレイ、１１…アンテナ、１２…通信部、１３…操作ボタン、１４…救命ボタン、１５…メモリ、１６…インタフェース、３０…ネットワーク、３１…サーバ
【図１】
2005235148.tif 000003
【図２】
2005235148.tif 000004
【図３】
2005235148.tif 000005
【図４】
2005235148.tif 000006
【図５】
2005235148.tif 000007